(57)【特許請求の範囲】
【請求項１】
表面上を水が流下する水流下部材が、この水流下部材の裏面側に間隔を開けて並設された複数の支持部材で支持され、前記水流下部材の先端下側にこれらの支持部材の並設方向に延びる排水部材が配置され、前記水流下部材の表面上を流下した水がこの排水部材に落下して排水される建物の排水構造において、
この排水構造は建物付設物になっているバルコニの排水構造であり、
前記バルコニの構造材になっている桁梁に前記バルコニの内側で手摺り用柱が取り付けられているとともに、前記バルコニの内側に前記排水部材が配置され、
前記水流下部材の先端下側に前記複数の支持部材同士の間の空間を遮蔽し、かつこれらの支持部材の先端に跨って延びる長さを有している遮蔽部材が配置されているとともに、この遮蔽部材は、下側に延びる下延出部と、この下延出部の上端から前記バルコニの内側である横向きに延びる横延出部とを有し、この横延出部は水流下部材と前記支持部材との間に挿入され、
前記下延出部は、前記手摺り用柱における前記バルコニの内側の面と向かい合っており、
前記水流下部材の前記先端は、前記遮蔽部材の前記下延出部よりも前記バルコニの内側に後退していることを特徴とする建物の排水構造。
【請求項２】
請求項１に記載の建物の排水構造において、前記排水部材における前記バルコニの内側の立上部の上端には前記バルコニの内側に延びる延出部が形成され、この延出部に前記支持部材が載せられているとともに、この支持部材と前記排水部材とが結合されていることを特徴とする建物の排水構造。
【請求項３】
請求項１又は２に記載の建物の排水構造において、前記遮蔽部材における前記下延出部の下端部は前記排水部材の内側に挿入されていることを特徴とする建物の排水構造。
【請求項４】
請求項１〜３のいずれかに記載の建物の排水構造において、前記手摺り用柱の下端部は、前記排水部材の内部に挿入されていることを特徴とする建物の排水構造。
【請求項５】
請求項１〜４のいずれかに記載の建物の排水構造において、前記水流下部材は前記バルコニのデッキ材、前記支持部材はこのデッキ材が載せられた根太、前記排水部材は前記バルコニの樋部材であり、前記遮蔽部材は前記根太に結合され、前記樋部材が取り付けられている前記バルコニの前記桁梁は、この桁梁と前記遮蔽部材との間に架設された連結部材と、前記遮蔽部材とを介して前記根太に連結されていることを特徴とする建物の排水構造。
【請求項６】
請求項１〜５のいずれかに記載の建物の排水構造において、前記排水部材は第１排水部材であるとともに、前記遮蔽部材は第１遮蔽部材であり、前記水流下部材の側部の下側に前記支持部材の長手方向に延びる第２排水部材が配置され、この第２排水部材と前記支持部材とが離れているとともに、前記水流下部材の側部にこの水流下部材と前記２排水部材との間の空間を遮蔽する第２遮蔽部材が配置され、これらの第１遮蔽部材と第２遮蔽部材とは、第１排水部材と第２排水部材との接続部分に対応する箇所で接続されていることを特徴とする建物の排水構造。
【発明の詳細な説明】
【０００１】
【発明の属する技術分野】
本発明は、建物の排水構造に係り、例えば、建物用付設物であるバルコニ、庇、集合住宅の外階段、外廊下等の排水のために利用できるものである。
【０００２】
【背景技術】
図８及び図９は、従来の建物の排水構造、具体的には建物用付設物であるバルコニの排水構造を示し、図８は、デッキ材を想像線で示したバルコニの根太の先部周辺の拡大断面斜視図で、図９は、バルコニの桁梁及び樋部材の部分の縦断面図である。バルコニの構造材になっている桁梁５１には排水部材である樋部材５２が取り付けられ、建物本体に後端が結合されてこの建物本体から延びている根太５３の先端がこの樋部材５２に載せられて支持されている。根太５３は、デッキ材５４の裏面側に配置されてデッキ材５４を支持する支持部材になっており、樋部材５２及び桁梁５１の延び方向に間隔を開けて複数並設された根太５３にデッキ材５４が載せられている。
【０００３】
また、桁梁５１の長手方向両端は、建物本体に結合されている図示外の左右２本の妻梁の先端間に架設されており、この桁梁５１にブラケット５５でバルコニの手摺り用柱５６が結合され、また、桁梁５１は、連結部材５７、ボルト５８，５９、ナット６０，６１で根太５３に連結されている。このように桁梁５１が根太５３に連結部材５７を介して連結されることにより、桁梁５１の長手方向の途中部がバルコニ内外方向に変位するのを阻止される。
【０００４】
雨天時において雨水がデッキ材５４の上に降ると、雨水は、建物本体側が高位となった水勾配をもって配置されているデッキ材５４の表面上を流下した後、デッキ材５４の先端下側に配置されている樋部材５２へと落下し、この後、樋部材５２に接続してバルコニに設けられている図示外の縦樋部材へと流れ落ちることになる。
【０００５】
【発明が解決しようとする課題】
以上述べた従来のバルコニの排水構造によると、図８に示されているとおり、樋部材５２は桁梁５１に設けられ、手摺り用柱５６は、下端部５６Ａが樋部材５２の内側に挿入された状態で立設されているため、デッキ材５４の先端面５４Ａがこの手摺り用柱５６に干渉しないように、デッキ材５４を樋部材５２に対して配置しなければならない。これによると、デッキ材５４の先端面５４Ａの位置を桁梁５１に近い位置とすることができず、この先端面５４Ａの位置を桁梁５１から離れた樋部材５２の幅方向における根太５３側の端部近くまで後退させた位置としなければならず、先端面５４Ａを樋部材５２の幅方向内側に深く臨ませることはできない。
【０００６】
このため、例えば、大雨のとき、デッキ材５４の表面上を流下した雨水の一部が樋部材５２の延び方向に並設されている根太５３同士の間からバルコニ下に落ち、雨水の全部を所定どおり樋部材５２の内側に落下させることができないおそれがあった。
【０００７】
また、デッキ材５４の側部の下側に根太５３の長手方向に延びる樋部材が配置され、バルコニの妻梁に設けられるこの樋部材と、バルコニの桁梁５１の長手方向に複数配置されている根太５３のうちの妻梁側の根太５３とが離れていると、この箇所からも大雨のときにバルコニ下に雨水の一部が落下するおそれがある。
【０００８】
本発明の目的は、デッキ材等である水流下部材の上の全部の水が樋部材等の排水部材の内側に落下し、良好な排水状態を得られるようになる建物の排水構造を提供するところにある。
【０００９】
【課題を解決するための手段】
本発明に係る建物の排水構造は、表面上を水が流下する水流下部材が、この水流下部材の裏面側に間隔を開けて並設された複数の支持部材で支持され、前記水流下部材の先端下側にこれらの支持部材の並設方向に延びる排水部材が配置され、前記水流下部材の表面上を流下した水がこの排水部材に落下して排水される建物の排水構造において、前記水流下部材の先端に前記支持部材同士の間の空間を遮蔽する遮蔽部材が配置されていることを特徴とするものである。
【００１０】
この建物の排水構造によると、水流下部材の先端に支持部材同士の間の空間を遮蔽する遮蔽部材が配置されているため、たとえ水流下部材の先端面が排水部材の幅方向内側に深く臨んだ位置に配置されていなくても、支持部材同士の間から水が排水部材の外部へ落ちるのを遮蔽部材によって防止することができることになり、水流下部材の表面上を流下した水の全部を所定どおり排水部材へ落下させることができるようになる。
【００１１】
遮蔽部材は支持部材同士の間の空間を遮蔽することができるものであれば任意な形状、構造のものでよく、例えば、板金によるものでもよく、押し出し成形品によるものでもよく、プラスチックパネルによるものでもよく、金属製又はプラスチック製等のブロックによるものでもよい。
【００１２】
また、遮蔽部材は、複数の支持部材の先端に跨って延びる長さを有するものであって、これにより支持部材同士の間の空間を遮蔽するものでもよく、あるいは、支持部材同士の間の空間だけにこの空間を埋めるように配置されるものでもよい。
【００１３】
しかし、前者によると、後者の場合と異なり、支持部材と遮蔽部材との間で隙間が生じなくなるため、水漏れ対策上より有効となるという効果を得られる。
【００１４】
さらに、遮蔽部材の排水部材側の端部はこの排水部材まで延びていなくてもよく、また、排水部材まで延びていてもこの排水部材の内側に挿入されていなくてもよいが、遮蔽部材の排水部材側の端部は、排水部材まで延びていて排水部材の内側に挿入されていることが好ましい。
【００１５】
これによると、水流下部材の表面上を流下してこの水流下部材の先端から落下した水は、遮蔽部材に案内されて自ずと排水部材の内側へと導かれることになり、確実に排水部材に落ちることになる。
【００１６】
このように遮蔽部材の排水部材側の端部を排水部材の内側に挿入するようにした場合には、水流下部材の先端を必ずしも排水部材の内側に臨む位置まで前進させる必要はなく、この先端が排水部材から外れた位置にあっても、水流下部材の表面上を流下した水を遮蔽部材の案内作用によって排水部材へと案内することができる。
【００１７】
また、遮蔽部材における水流下部材側の端部をこの水流下部材の先端又は支持部材の先端に当てがい、これにより遮蔽部材を水流下部材又は支持部材に結合する構造としてもよいが、遮蔽部材における水流下部材側の端部をこの水流下部材と前記支持部材との間に挿入する構造とすることが好ましい。
【００１８】
これによると、支持部材に水流下部材を載せて固定することにより、遮蔽部材の水流下部材側の端部を自ずと水流下部材と支持部材とで挟着固定できることになり、この端部の固定作業の容易化を図ることができる。また、遮蔽部材の水流下部材側の端部は水流下部材と支持部材との間に挿入されているため、水流下部材の先端から落下する水が遮蔽部材の後側に侵入することはなく、全部の水を遮蔽部材の前側に落として排水部材へと案内させることができる。
【００１９】
以上の建物の排水構造において、前記複数の支持部材は前記排水部材の延び方向のみに並設されていてもよく、これらの支持部材の他に、これらの支持部材と直角等の角度をなす支持部材が設けられていてもよい。
【００２０】
また、以上の建物の排水構造は建物の任意な箇所に適用でき、また、建物本体の排水構造ではなく、建物本体に付設される建物用付設物の排水構造としても適用できる。この建物用付設物は、例えば、バルコニでもよく、シャッター装置のシャッターケースでもよく、オーニング装置の収納ケースでもよく、ロールスクリーン装置の収納ケースでもよく、庇でもよく、看板等でもよい。さらに、建物が集合住宅である場合には、建物用付設物は、外階段でもよく、外廊下でもよい。建物用付設物がバルコニである場合において、このバルコニは支柱で支持されないタイプでもよく、支柱で支持されるタイプでもよい。
【００２１】
また、以上の本発明に係る排水構造が建物本件に付設される建物用付設物に適用される場合において、水流下部材の先端とは、水流下部材の建物本体とは反対側の端部でもよく、建物本体側の端部でもよく、これらの端部と直角等の角度をなす端部でもよい。
【００２２】
また、この建物用付設物が付設される建物本体は、軸組み工法によるものでもよく、パネル工法によるものでもよく、ユニット工法によるものでもよく、また、建物本体は、カーテンウォール等を使用するＳ造建物でもよく、ＲＣ造建物でもよく、ＳＲＣ造建物等でもよい。
【００２３】
以上の本発明に係る建物の排水構造が建物用付設物の排水構造として適用される場合には、前述した水流下部材と支持部材と前記排水部材と遮蔽部材は、建物用付設物を形成する部材となる。また、建物用付設物がバルコニである場合には、水流下部材はこのバルコニのデッキ材、支持部材はこのデッキ材が載せられた根太、排水部材はバルコニの樋部材となる。
【００２４】
建物用付設物がバルコニである場合においては、遮蔽部材を根太に結合し、樋部材が取り付けられているバルコニの梁材を、この梁材と遮蔽部材との間に架設された連結部材と、遮蔽部材とを介して根太に連結するようにしてもよい。
【００２５】
これによると、根太の先端に遮蔽部材が配置され、このため従来の連結部材を使用してバルコニの梁材を根太に連結できなくなっても、この梁材を、梁材と遮蔽部材との間に架設された連結部材と、遮蔽部材とを介して根太に連結できるようになり、従来と同じく、梁材の長手方向の途中部がバルコニ内外方向に変位するのを阻止できるようになる。
【００２６】
なお、樋部材が取り付けられるバルコニの梁材は、このバルコニの桁梁でもよく、妻梁でもよい。また、これらの桁梁と妻梁の全部に樋部材を設けてもよい。これらの樋部材は、桁梁、妻梁とは別の部材として生産することにより、後作業で桁梁、妻梁に結合してもよく、押し出し成形品等として生産される桁梁、妻梁の生産時に桁梁、妻梁と一体に形成してもよい。
【００２７】
また、以上の本発明に係る建物の排水構造は、水流下部材の先端面が排水部材の幅方向内側に深く臨んだ位置に配置される場合でも、またそうではない場合にも適用できる。そして、建物の排水構造がバルコニの排水構造である場合には、手摺り用柱が、バルコニの排水部材である樋部材の内側に下端部が挿入された状態で立設されるときでも、またそうではないときにも、本発明を適用できる。
【００２８】
また、本発明に係る建物の排水構造は、水流下部材がこの水流下部材の裏面側に配置された支持部材で支持され、前記水流下部材の側部の下側に前記支持部材の長手方向に延びる排水部材が配置され、この排水部材と前記支持部材とが離れている建物の排水構造において、前記水流下部材の側部にこの水流下部材と前記排水部材との間の空間を遮蔽する遮蔽部材が配置されていることを特徴とするものである。
【００２９】
この建物の排水構造によると、水流下部材の側部にこの水流下部材と排水部材との間の空間を遮蔽する遮蔽部材が配置されているため、排水部材と支持部材とが離れていても、水流下部材と排水部材との間の空間から水が排水部材の外部に落ちるのを防止できる。
【００３０】
さらに、本発明に係る建物の排水構造は、表面上を水が流下する水流下部材が、この水流下部材の裏面側に間隔を開けて並設された複数の支持部材で支持され、前記水流下部材の先端下側にこれらの支持部材の並設方向に延びる第１排水部材が配置されているととも、前記水流下部材の側部の下側に前記支持部材の長手方向に延びる第２排水部材が配置され、この第２排水部材と前記支持部材とが離れている建物の排水構造において、前記水流下部材の先端に前記支持部材同士の間の空間を遮蔽する第１遮蔽部材が配置され、前記水流下部材の側部にこの水流下部材と前記２排水部材との間の空間を遮蔽する第２遮蔽部材が配置され、これらの第１遮蔽部材と第２遮蔽部材とは、第１排水部材と第２排水部材との接続部分に対応する箇所で接続されていることを特徴とするものである。
【００３１】
この建物の排水構造によると、支持部材の先端下側に第１排水部材が、支持部材の側部の下側に第２排水部材がそれぞれ設けられ、また、支持部材の先端に第１遮蔽部材が、支持部材の側部に第２遮蔽部材部材がそれぞれ配置されていても、第１遮蔽部材と第２遮蔽部材とは第１排水部材と第２排水部材との接続部分に対応する箇所において接続されているため、これらの遮蔽部材の間から水が漏れることはなく、これらの遮蔽部材によって水をそれぞれの排水部材に案内できるようになる。
【００３２】
この建物の排水構造において、第１遮蔽部材と第２遮蔽部材とを接続させるためには、これらの遮蔽部材を重ね合わせ係合させてもよく、また、突き合わせてもよく、さらには、嵌め合せてもよく、任意な接続構造とすることができる。
【００３３】
また、第１遮蔽部材と第２遮蔽部材とを重ね合わせ係合とするためには、例えば、一方の遮蔽部材に切欠部を形成し、この切欠部に他方の遮蔽部材を挿入することにより、遮蔽部材同士を重ね合わせ係合させた構造としてもよく、あるいは、両方の遮蔽部材に切欠部を形成し、これらの切欠部同士を噛み合わせることにより、遮蔽部材同士を重ね合わせ係合させた構造としてもよく、両方の遮蔽部材の形状等に応じた任意な重ね合わせ係合の構造を採用できる。
【００３４】
以上の建物の排水構造も建物の任意な箇所に適用できる。また、建物本体の排水構造ではなく、建物本体に付設される建物用付設物の排水構造としても適用できる。この建物用付設物は、前述と同じく、例えば、バルコニでもよく、シャッター装置のシャッターケースでもよく、オーニング装置の収納ケースでもよく、ロールスクリーン装置の収納ケースでもよく、庇でもよく、看板等でもよい。さらに、建物が集合住宅である場合には、建物用付設物は、外階段でもよく、外廊下でもよい。建物用付設物がバルコニである場合において、このバルコニは支柱で支持されないタイプでもよく、支柱で支持されるタイプでもよい。
【００３５】
また、この建物用付設物が付設される建物本体は、軸組み工法によるものでもよく、パネル工法によるものでもよく、ユニット工法によるものでもよく、また、建物本体は、カーテンウォール等を使用するＳ造建物でもよく、ＲＣ造建物でもよく、ＳＲＣ造建物等でもよい。
【００３６】
【発明の実施の形態】
以下に本発明の実施形態を図面に基づいて説明する。本実施形態に係る排水構造は、建物本体に付設される建物用付設物となっているバルコニに適用された場合であり、このバルコニは支柱で支持されないタイプである。図１は、このバルコニ１１を示している。バルコニ１１は、建物本体１から延びる妻梁１２と、２本ある妻梁１２の先端間に架設された桁梁１３とが構造材となって形成されており、妻梁１２と桁梁１３に手摺り１４が立設されている。それぞれの妻梁１２は、建物本体１の躯体に結合された取付具１５を介して建物本体１に取り付けられ、妻梁１２と取付具１５との結合は、取付具１５のアーム部１５Ａに妻梁１２をボルト１６、ナットで締結することによりなされている。また、手摺り１４のトップレール１７等は、建物本体１の躯体にビス等の止着具１８で止められたブラケット１９を介して建物躯体に結合されている。
【００３７】
また、桁梁１３の長手方向に複数並設されているバルコニ１１の根太２０の建物本体１側の端部は、建物本体１に固定された根太受け部材２１に載せられて結合支持されている。
【００３８】
また、桁梁１３には、バルコニ１１の内側において、排水部材である樋部材２２が取り付けられ、桁梁１３と同じ方向へ延びるこの樋部材２２の内部に下端部２３Ａが挿入された状態で手摺り用柱２３が立設されている。
【００３９】
図２は、デッキ材を想像線で示したバルコニ１１の根太２０の先部周辺の拡大断面斜視図であって、バルコニ１１の桁梁１３及び樋部材２２の縦断面が示されている。樋部材２２は、バルコニ外側の立上り部２２Ａが桁梁１３のバルコニ内側の側面に結合されることにより桁梁１３と一体化されており、樋部材２２のバルコニ内側の立上り部２２Ｂの上端にはバルコニ内側に延びる延出部２２Ｃが形成されている。なお、この樋部材２２は桁梁１３と別部材になっているが、桁梁１３が押し出し成形品である場合には、樋部材２２を桁梁１３と一体成形してもよい。根太２０は、縦長の中空本体部２０Ａと、この中空本体部２０Ａの下端に設けられた水平のフランジ部２０Ｂとからなり、フランジ部２０Ｂが延出部２２Ｃに載せられてビス等の固定手段で固定されることにより、根太２０と樋部材２２とが結合されている。
【００４０】
根太２０は桁梁１３及び樋部材２２の長手方向に間隔を開けて複数並設されており、これらの根太２０にバルコニ１１のデッキ材２４が載せられて固定され、本実施形態での水流下部材となっているこのデッキ材２４は、本実施形態での支持部材となっている根太２０に樋部材２２側が低くなった水勾配をもって支持されている。樋部材２２は、デッキ材２４の先端下側において、それぞれの根太２０の並設方向に延びて配置されている。手摺り用柱２３は、桁梁１３に両端が結合された帯バンド部材２５で桁梁１３に取り付けられ、この帯バンド部材２５のそれぞれの端部は、桁梁１３のバルコニ内側の上部側面に形成されている横溝１３Ａに頭部がスライド係止されたボルト２６と、このボルト２６に螺合されたナット２６Ａとで桁梁１３に結合されている。
【００４１】
図３は、バルコニ１１の桁梁１３及び樋部材２２の部分の縦断面図である。この図３で示すように、デッキ材２４の先端面２４Ａは、下端部２３Ａが樋部材２２の内側に挿入されている手摺り用柱２３と干渉しないように桁梁１３から大きく後退した位置、具体的には、樋部材２２のバルコニ内側の立上り部２２Ｂと同じ位置又は略同じ位置まで後退しており、このデッキ材２４の先端下側に遮蔽部材２７が配置されている。この遮蔽部材２７は板金の折り曲げ品であり、下側に延びる下延出部２７Ａと、この下延出部２７Ａの上端からバルコニ内側である横向きに延びる横延出部２７Ｂとからなる。
【００４２】
このように逆Ｌ字状に形成されている遮蔽部材２７は、桁梁１３の延び方向と同じ方向へ連続して延びる大きな長さを有するとともに、下延出部２７Ａはそれぞれの根太２０の先端面２０Ｃの前面に配置されている。したがって、図３のＳ４−Ｓ４線矢示図である図４に示すとおり、遮蔽部材２７はそれぞれの根太２０の間の空間Ｓを遮蔽しているとともに、それぞれの根太２０の先端面２０Ｃに跨って配置されている。また、図３に示されているように、下延出部２７Ａの下端部２７Ｃは樋部材２２まで達し、この下端部２７Ｃは樋部材２２の内側に挿入されている。
【００４３】
また、遮蔽部材２７の横延出部２７Ｂはそれぞれの根太２０とデッキ材２４との間に挿入され、根太２０とデッキ材２４とで挟着された状態になっている。
【００４４】
図２に示されているように、それぞれの手摺り用柱２３の位置と一致して桁梁１３には連結部材２８が配置され、遮蔽部材２７よりも高位置に配置されているこの連結部材２８は、手摺り用柱２３を中心に左右対象又は略左右対象となった形状を有し、中央の遮蔽部材取付部２８Ａと、この取付部２８Ａから桁梁１３側へ斜めに拡張して延びる左右一対のアーム部２８Ｂと、それぞれのアーム部２８Ｂの先端に設けられた桁梁取付部２８Ｃとからなる。それぞれ桁梁取付部２８Ｃは、桁梁１３の前記横溝１３Ａに頭部がスライド係止されたボルト２９とナット２９Ａとで桁梁１３に結合され、遮蔽部材取付部２８Ａはビス等の止着具３０で遮蔽部材２７に止着されているとともに、この止着具３０で遮蔽部材２７の横延出部２７Ｂは根太２０に結合されている。
【００４５】
以上のように遮蔽部材２７は止着具３０で根太２０に結合され、また、遮蔽部材２７と桁梁１３との間には連結部材２８が架設されているため、桁梁１３は、連結部材２８と遮蔽部材２７を介して根太２０に連結されていることになる。これにより、桁梁１３の長手方向の途中部がバルコニ１３の内外方向に変位するのを阻止される。
【００４６】
このように連結部材２８を桁梁１３と遮蔽部材２７との間に架設する作業を行った後に、それぞれの根太２０の上にデッキ材２４を載せて固定する作業が行われ、これにより、デッキ材２４はデッキ材２４の裏面側に間隔を開けて配置されたそれぞれの根太２０で支持されるとともに、遮蔽部材２７の横延出部２７Ｂは根太２０とデッキ材２４との間に挿入されて挟着された状態となる。
【００４７】
なお、連結部材２８の遮蔽部材取付部２８Ａが配置されない箇所には、図３に示すように、この遮蔽部材取付部２８Ａの厚さ分に相当するスペーサ３１が根太２０とデッキ材２４との間に介入され、また、遮蔽部材２７の横延出部２７Ｂが配置されない根太２０とデッキ材２４との間の箇所には、横延出部２７Ｂと遮蔽部材取付部２８Ａとの合計厚さ分に相当する図示しないスペーサが配置される。
【００４８】
また、デッキ材２４の側断面形状を図３に示されたものとせず、遮蔽部材２７の横延出部２７Ｂ及び連結部材２８の遮蔽部材取付部２８Ａの位置と対応するデッキ材２４の先端部の下部分を切除し、これにより上記スペーサ３１及び上記図示しないスペーサを省略するようにしてもよい。
【００４９】
以上の本実施形態によると、雨天時に雨水がデッキ材２４上に降ると、この雨水はデッキ材２４の水勾配によりデッキ材２４の表面上を桁梁１３側へ流下し、そして雨水は、デッキ材２４の先端から、根太２０の並設方向に延びて配設されている樋部材２２に落下し、この樋部材２２から図示外の縦樋を通ってバルコニ１１の外部に排出される。
【００５０】
また、デッキ材２４の先端面２４Ａの位置が、図３に示すように、手摺り用柱２３との関係から樋部材２２の幅方向内側深くに臨んだ位置まで達せず、樋部材２２のバルコニ内側の立上り部２２Ｂと同じ位置又は略同じ位置になっていても、それぞれの根太２０の間の空間Ｓは、図４で示したように、デッキ材２４の先端に配置された遮蔽部材２７で遮蔽されているため、デッキ材２４の先端面２４Ａから落下する雨水はこれらの空間Ｓからバルコニ外へ落下することはなく、遮蔽部材２７によって樋部材２２へと導かれることになる。
【００５１】
さらに、遮蔽部材２７はそれぞれの根太２０の先端に跨って延びているため、隣接する根太２０同士の間の空間だけに遮蔽部材を配置した場合と異なり、根太２０と遮蔽部材との間の隙間から雨水が漏れるおそれをなくすことができ、また、根太２０が中空の本体部２０Ａを有し、この本体部２０Ａが根太２０の先端面２０Ｃで開口していても、この開口部から雨水が根太２０の内部に侵入するのを防止できる。
【００５２】
また、遮蔽部材２７の樋部材２２側の端部、すなわち、遮蔽部材２７の下延出部２７Ａの下端部２７Ｃは樋部材２２の内側に挿入されているため、デッキ材２４の先端面２４Ａから落下した雨水は、遮蔽部材２７の下延出部２７Ａに案内されて確実に樋部材２２の内側に落ち、樋部材２２を経てバルコニ外に排出される。
【００５３】
さらに、遮蔽部材２７のデッキ材２４側の端部、すなわち、遮蔽部材２７の横延出部２７Ｂは、下延出部２７Ａから折り曲げられてデッキ材２４と根太２０との間に挿入され、これらのデッキ材２４と根太２０で挟着されているため、デッキ材２４の先端面２４Ａから落下した雨水は遮蔽部材２７の下延出部２７Ａに沿って落ちることになり、雨水が遮蔽部材２７の後側、言い換えると、根太２０が配置されている箇所では遮蔽部材２７と根太２０の先端面２０Ｃとの間に侵入することはない。そして、下延出部２７Ａと横延出部２７Ｂは、それぞれの根太２０に跨って延びている遮蔽部材２７の全長に亘って連続形成されているため、この効果を遮蔽部材２７の全長について得られる。
【００５４】
また、本実施形態で遮蔽部材２７が用いられ、このため、図８で示した従来の連結部材５７と同じ部材を使用して桁梁１３を根太２０に連結することができなくなっても、本実施形態では、前述したとおり、遮蔽部材２７を止着具３０で根太２０に結合し、また、遮蔽部材２７と桁梁１３との間には遮蔽部材２７よりも高位置で連結部材２７を架設したため、桁梁１３を、連結部材２７と遮蔽部材２７を介して根太２０に連結することができ、これにより、桁梁１３の長手方向の途中部がバルコニ１３の内外方向に変位するのを阻止できる。
【００５５】
図５〜図７は、図１で示したバルコニ１１の妻梁１２に設けられる樋部材についての実施形態である。図５は、前記桁梁１３と共にバルコニ１１の梁材となっているこの妻梁１２の部分を示す縦断面図であり、図６は、図５のＳ６−Ｓ６線断面図である。
【００５６】
図５に示すように、妻梁１２のバルコニ内側にはデッキ材２４の側部の排水部材となっている樋部材３５が設けられている。図示例では、この樋部材３５は妻梁１２と一体成形されたものとなっているが、妻梁１２とは別部材とし、後作業で妻梁１２に結合してもよい。樋部材３５のバルコニ内側の端部には立上り部３５Ａが形成され、この立上り部３５Ａの上端は水平部３５Ｂとなっている。この水平部３５Ｂの高さ位置は、図３で示した前記樋部材２２の延出部２２Ｃと同じ又は略同じになっており、これらの樋部材３５と樋部材２２は、バルコニ１１の先端側の左右角部で接続されている。
【００５７】
前記根太２０は、前述したように、デッキ材２４の先端側に設けられている樋部材２２の延び方向に並設されているが、これらの根太２０のうち、妻梁１２側の根太２０は、図５に示されているとおり、デッキ材２４の側部２４Ｂの下側に根太２０の長手方向に延びて設けられている樋部材３５から離れて配置されている。樋部材３５の水平部３５Ｂの上には遮蔽部材３６が配置され、この遮蔽部材３６は同一断面形状が妻梁１２の長手方向に連続したものであって、水平部３５Ｂにビス等の固定手段で固定された水平下部３６Ａと、この水平下部３６Ａから垂直に立ち上がった立上り部３６Ｂと、この立上り部３６Ｂの上端から水平下部３６Ａとは反対側のバルコニ内側に延びている水平上部３６Ｃとからなる。
【００５８】
図５に示されているとおり、デッキ材２４の側部２４Ｂは、妻梁１２に結合されて下部が樋部材３５の内部に挿入された手摺り用柱２３との位置関係から、樋部材３５の内側に対応する位置まで達しておらず、この側部２４Ｂの位置は、遮蔽部材３６の立上り部３６Ｂを越えて水平下部３６Ａの途中部分に対応する位置となっている。
【００５９】
また、図６に示すように、遮蔽部材３６における桁梁１３側の端部３６Ｄは、桁梁１３と対面して配置されている前記遮蔽部材２７を越えて樋部材２２側へ延びている。これらの遮蔽部材３６と遮蔽部材２７は、樋部材２２と樋部材３５との接続部分と対応する箇所において接続、具体的には重ね合わせ係合されており、樋部材２２と樋部材３５とを接続させるこの重ね合わせ係合の状態が図７で示されている。すなわち、遮蔽部材２７の前記横延出部２７Ｂに近い下延出部２７Ａの上部には切欠部２７Ｃが形成され、この切欠部２７Ｃに遮蔽部材３６の水平上部３６Ｃが挿入され、これにより遮蔽部材２７の横延出部２７Ｂと遮蔽部材３６の水平上部３６Ｃとのうち、横延出部２７Ｂが上側となって遮蔽部材２７と遮蔽部材３６とが重ね合わせ係合されている。また、図５に示されているように、遮蔽部材２７の下延出部２７Ａは遮蔽部材３６の立上り部３６Ｂに隙間なく接合されている。
【００６０】
また、このように根太２０の長手方向に延びている遮蔽部材３６により、図５に示されているように、デッキ材２４の側部２４Ｂと樋部材３５との間の空間は遮蔽されている。この遮蔽部材３６の水平上部３６Ｃとデッキ材２４との間にはブチルゴム、多孔質材料等によるシール部材を介設してもよく、介設しなくてもよい。
【００６１】
以上において、この実施形態では、デッキ材２４の先端下側に配置された樋部材２２、遮蔽部材２７を第１樋部材２２、第１遮蔽部材２７としたとき、デッキ材２４の側部２４Ｂの側に配置された樋部材３５、遮蔽部材３６は第２樋部材３５、第２遮蔽部材３６となっている。
【００６２】
この実施形態によると、雨水がデッキ材２４上に降り、この雨水がデッキ材２４の側部２４Ｂから落下すると、雨水は第２遮蔽部材３６の水平下部３６Ａ及び第２樋部材３５の水平部３５Ｂを経て第２樋部材３５内へ落下する。すなわち、第１樋部材２２の延び方向に複数並設されている根太２０のうちの妻梁１２に近い根太２０が第２樋部材３５から離れていても、第２遮蔽部材３６はデッキ材２４と第２樋部材３５との間の空間を遮蔽しているため、この第２遮蔽部材３６は水切り材となり、雨水を第２樋部材３５へと導くため、雨水がデッキ材２４の側部２４Ｂからバルコニ下へ落下することはない。
【００６３】
また、バルコニ１１の先端と左右の側部とに設けられている第１樋部材２２と第２樋部材３５とに対応させて第１遮蔽部材２７と第２遮蔽部材３６を設けても、第１樋部材２２と第２樋部材３５との接続部分と対向する箇所においてこれらの第１遮蔽部材２７と第２遮蔽部材３６とを接続させたため、第１遮蔽部材２７と第２遮蔽部材３６との間から雨水が漏れることはなく、デッキ材２４の先端２４Ａから落下する雨水を第１遮蔽部材２７で案内させて第１樋部材２２の内部へ、デッキ材２４の側部２４Ｂから落下する雨水を第２遮蔽部材３６で案内させて第２樋部材３５の内部へそれぞれ導くことができる。
【００６４】
【発明の効果】
本発明によると、デッキ材等である水流下部材の上の全部の水が樋部材等の排水部材の内側に落下し、良好な排水状態を得られるという効果を得られる。
【図面の簡単な説明】
【図１】本発明の一実施形態に係る排水構造が適用されたバルコニの側面を示す建物本体の縦断面図である。
【図２】図１のバルコニにおける水流下部材であるデッキ材を想像線で示し、デッキ材の先端下側に配置された排水部材である樋部材と支持部材である根太の先部周辺を示す拡大断面斜視図である。
【図３】図１のバルコニの桁梁及び樋部材の部分の縦断面図である。
【図４】図３のＳ４−Ｓ４線矢示図である。
【図５】デッキ材の側部の下側に配置された排水部材である樋部材及びバルコニの妻梁の部分を示す縦断面図である。
【図６】図５のＳ６−Ｓ６線断面図である。
【図７】図３等で示された第１遮蔽部材と図５等で示された第２遮蔽部材との重ね合わせ係合部分の構造を示す斜視図である。
【図８】従来例を示す図で、デッキ材を想像線で示したバルコニの根太の先部周辺の拡大斜視図である。
【図９】図８の従来例におけるバルコニの桁梁及び樋部材の部分の縦断面図である。
【符号の説明】
１  建物本体
１１  建物用付設物であるバルコニ
１２  バルコニの梁材である妻梁
１３  バルコニの梁材である桁梁
１４  手摺り
２０  支持部材である根太
２２  排水部材（第１排水部材）である樋部材
２３  手摺り用柱
２４  水流下部材であるデッキ材
２７  遮蔽部材（第１遮蔽部材）
２７Ｂ  遮蔽部材のデッキ材側の端部である横延出部
２７Ｃ  遮蔽部材の樋部材側の端部である下端部
２８  連結部材
３５  排水部材（第２排水部材）である樋部材
３６  遮蔽部材（第２遮蔽部材）
Ｓ  空間
【図１】
0004467735.tif 000002
【図２】
0004467735.tif 000003
【図３】
0004467735.tif 000004
【図４】
0004467735.tif 000005
【図５】
0004467735.tif 000006
【図６】
0004467735.tif 000007
【図７】
0004467735.tif 000008
【図８】
0004467735.tif 000009
【図９】
0004467735.tif 000010